(57)【特許請求の範囲】
【請求項１】
眼底に一対の合焦指標を投影するための光束を被検眼に照射する合焦指標投影部と、
前記眼底を撮影する眼底撮影部と、
前記合焦指標投影部と前記眼底撮影部と合焦レンズとを含む光学系を移動するための駆動部と、
前記眼底撮影部により取得された眼底像から前記合焦指標の投影像を検出し、検出された前記投影像に基づいて前記合焦レンズを移動する合焦制御部と
を備え、
前記一対の合焦指標の一方の投影像が検出された場合、前記合焦制御部は、前記一方の投影像の位置から前記光学系の移動量及び移動方向を求め、前記移動量及び前記移動方向に基づき前記駆動部が前記光学系を移動した後に前記合焦レンズの移動先を求めて前記合焦レンズを移動し、
前記一対の合焦指標のいずれの投影像も検出されなかった場合、前記合焦制御部は、前記駆動部が前記光学系を既定の方向に既定の距離だけ移動した後に前記眼底撮影部により取得された眼底像から前記合焦指標の投影像を検出して前記合焦レンズを移動する
ことを特徴とする眼科装置。
【請求項２】
眼底に一対の合焦指標を投影するための光束を被検眼に照射する合焦指標投影部と、
前記眼底を動画撮影して観察画像を取得する眼底撮影部と、
前記合焦指標投影部と前記眼底撮影部と合焦レンズとを含む光学系を移動するための駆動部と、
前記眼底撮影部により取得された眼底像から前記合焦指標の投影像を検出し、検出された前記投影像に基づいて前記合焦レンズを移動する合焦制御部と
を備え、
前記一対の合焦指標の一方の投影像が検出された場合、前記合焦制御部は、前記一方の投影像の位置から前記光学系の移動量及び移動方向を求め、前記移動量及び前記移動方向に基づき前記駆動部が前記光学系を移動した後に前記合焦レンズの移動先を求めて前記合焦レンズを移動し、
前記一対の合焦指標のいずれの投影像も検出されなかった場合、前記合焦制御部は、前記駆動部による前記光学系の移動と並行して前記眼底撮影部により取得された観察画像を解析して前記合焦指標の投影像を検出して前記合焦レンズを移動する
ことを特徴とする眼科装置。
【請求項３】
前記一対の合焦指標の双方の投影像が検出された場合、前記合焦制御部は、前記双方の投影像に基づいて前記合焦レンズを移動する
ことを特徴とする請求項１又は請求項２に記載の眼科装置。
【発明の詳細な説明】
【技術分野】
【０００１】
この発明は眼科装置に関する。
【背景技術】
【０００２】
眼科装置は、眼科分野において使用される装置の総称である。眼科装置には、被検眼を撮影するための眼科撮影装置や、被検眼を光学的に検査するための眼科検査装置や、被検眼を治療するための眼科治療装置などがある。眼科撮影装置の典型的な例として、眼底カメラ、光干渉断層計（ＯＣＴ）、走査型レーザ検眼鏡（ＳＬＯ）、スリットランプ顕微鏡、手術用顕微鏡などがある。また、眼科検査装置の典型的な例として、レフラクトメーター、ケラトメータ、角膜トポグラファ、視野検査装置、ウェーブフロントアナライザ、スペキュラーマイクロスコープ、自覚検眼装置、眼圧計などがある。眼科治療装置の典型的な例として、レーザ治療装置、白内障手術装置、硝子体手術装置などがある。
【０００３】
いくつかの眼科装置では、被検眼に対して光学系のフォーカシングが行われる。たとえば、眼底を撮影する際には、眼底に対するフォーカシングが行われる。フォーカシングは手動または自動で実施される。いずれの場合においても、現在のフォーカス状態を把握するための指標（合焦指標）が用いられる。合焦指標の典型的な例としてスプリット指標がある。スプリット指標は、眼底に投影される一対の光束からなる指標であり、それらの投影像の位置関係が現在のフォーカス状態を表す。ユーザまたは眼科装置は、２つの投影像が所定の位置関係になるよう合焦レンズを移動させることで、光学系のピントを眼底に合わせる。
【０００４】
このような指標を用いたフォーカシングでは、双方の投影像を認識可能なことが前提となる。しかし、被検眼が小瞳孔眼である場合、眼底に向かう光束や眼底からの反射光束が虹彩により遮られ、この前提が成立しないことがある。たとえば、特許文献１には、一方の投影像を検出できない場合におけるオートフォーカスの手法が開示されている。具体的には、眼底像に対するスプリット指標（投影像）の位置を事前に記憶し、認識可能な一方のスプリット指標が当該位置に配置されるようにフォーカシングを実行するよう構成されている。
【先行技術文献】
【特許文献】
【０００５】
【特許文献１】特開２００８−２７８９１４号公報
【発明の概要】
【発明が解決しようとする課題】
【０００６】
しかし、従来のオートフォーカス技術は、少なくとも一方の指標を認識できる場合にのみ適用可能である。なお、いずれの指標も認識できない場合には手動でフォーカシングを行う必要がある。特に、瞳孔径が非常に小さい場合（たとえば３．５ｍｍ以下の場合）、いずれの指標も認識できない可能性が高い。
【０００７】
この発明の目的は、小瞳孔眼に対するオートフォーカスの改善を図ることにある。
【課題を解決するための手段】
【０００８】
実施形態に係る眼科装置は、眼底に一対の合焦指標を投影するための光束を被検眼に照射する合焦指標投影部と、前記眼底を撮影する眼底撮影部と、前記合焦指標投影部と前記眼底撮影部と合焦レンズとを含む光学系を移動するための駆動部と、前記眼底撮影部により取得された眼底像から前記合焦指標の投影像を検出し、検出された前記投影像に基づいて前記合焦レンズを移動する合焦制御部とを備える。前記一対の合焦指標の一方の投影像が検出された場合、前記合焦制御部は、前記一方の投影像の位置から前記光学系の移動量及び移動方向を求め、前記移動量及び前記移動方向に基づき前記駆動部が前記光学系を移動した後に前記合焦レンズの移動先を求めて前記合焦レンズを移動する。前記一対の合焦指標のいずれの投影像も検出されなかった場合、前記合焦制御部は、前記駆動部が前記光学系を既定の方向に既定の距離だけ移動した後に前記眼底撮影部により取得された眼底像から前記合焦指標の投影像を検出して前記合焦レンズを移動する。
【発明の効果】
【０００９】
実施形態に係る眼科装置によれば、小瞳孔眼に対するオートフォーカスの改善を図ることが可能である。
【図面の簡単な説明】
【００１０】
【図１】実施形態に係る眼科装置の構成の一例を表す概略図である。
【図２】実施形態に係る眼科装置の構成の一例を表す概略図である。
【図３Ａ】実施形態に係る眼科装置の動作の一例を表す概略図である。
【図３Ｂ】実施形態に係る眼科装置の動作の一例を表す概略図である。
【図４Ａ】実施形態に係る眼科装置の動作の一例を表す概略図である。
【図４Ｂ】実施形態に係る眼科装置の動作の一例を表す概略図である。
【図５】実施形態に係る眼科装置の動作の一例を表すフローチャートである。
【図６】実施形態に係る眼科装置の動作の一例を表すフローチャートである。
【図７】実施形態に係る眼科装置の動作の一例を表すフローチャートである。
【図８】実施形態に係る眼科装置の構成の一例を表す概略図である。
【発明を実施するための形態】
【００１１】
この発明に係る眼科装置のいくつかの典型的な実施形態を説明する。以下、眼底カメラに関する実施形態について特に詳しく説明するが、この発明を適用可能な眼科装置は眼底カメラに限定されない。
【００１２】
この発明は、少なくとも、フォーカシング用の指標を眼底に投影するための構成を有する任意の眼科装置に適用可能である。たとえば、ＯＣＴやＳＬＯやスリットランプ顕微鏡のような、眼底の撮影に用いられる任意の眼科装置にこの発明を適用することができる。また、たとえば、網膜に光刺激を与える視野検査装置のような眼科検査装置や、網膜の光凝固に用いられるレーザ治療装置のような眼科治療装置に、この発明を適用することも可能である。
【００１３】
また、以下に説明する実施形態や変形例を任意に組み合わせることが可能である。
【００１４】
〈第１の実施形態〉
［構成］
実施形態に係る眼科装置の構成を図１および図２に示す。図１は眼科装置１の光学系の構成例を示す。図２は眼科装置の制御系の構成例を示す。
【００１５】
眼科装置１には、被検眼Ｅの眼底Ｅｆの表面形態を表す２次元画像（眼底像）を形成するための光学系が設けられている。眼底像には、観察画像や撮影画像などが含まれる。観察画像は、近赤外光を用いて取得される眼底Ｅｆの動画像である。撮影画像は、フラッシュ光を用いて取得される眼底Ｅｆの静止画像である。撮影画像としては、カラー画像、フルオレセイン蛍光画像、インドシアニングリーン蛍光画像、自発蛍光画像などがある。また、眼科装置１は、被検眼Ｅの前眼部Ｅａを撮影することも可能である。
【００１６】
眼科装置１には、従来の眼底カメラと同様に、被検者の顔を支持するための顎受けや額当てが設けられている。さらに、眼科装置１には、従来の眼底カメラと同様に、照明光学系１０と撮影光学系３０が設けられている。照明光学系１０は眼底Ｅｆに照明光を照射する。撮影光学系３０は、照明光の眼底反射光を撮像装置（イメージセンサ３７、４３）に導く。
【００１７】
（光学系）
照明光学系１０の観察光源１１は、定常光（連続光）を出力可能な定常光源である。この定常光源は、フラッシュ光の出力も可能であってよい。観察光源１１は、たとえばハロゲンランプやＬＥＤ（Ｌｉｇｈｔ  Ｅｍｉｔｔｉｎｇ  Ｄｉｏｄｅ）により構成される。観察光源１１から出力された光（観察照明光）は、曲面状の反射面を有する反射ミラー１２により反射され、集光レンズ１３を経由し、可視カットフィルタ１４を透過して近赤外光となる。さらに、観察照明光は、撮影光源１５の近傍にて一旦集束し、ミラー１６により反射され、リレーレンズ１７および１８と、絞り１９と、リレーレンズ２０とを経由する。そして、観察照明光は、孔開きミラー２１の周辺部（孔部の周囲の領域）にて反射され、対物レンズ２２を経由して眼底Ｅｆを照明する。なお、光学フィルタ部２３については後述する。
【００１８】
観察照明光の眼底反射光は、対物レンズ２２により屈折され、孔開きミラー２１の中心領域に形成された孔部を通過し、ダイクロイックミラー５５を透過し、合焦レンズ３１を経由し、ダイクロイックミラー３２に到達する。さらに、この眼底反射光は、ダイクロイックミラー３２を透過し、ミラー４０により反射され、集光レンズ４２によりイメージセンサ４３の受光面に結像される。イメージセンサ４３は、所定の時間間隔で眼底反射光を検出し、電気信号（画像信号、映像信号）を生成して出力する。なお、光学フィルタ部４１については後述する。また、イメージセンサ４３は、たとえば、ＣＣＤイメージセンサやＣＭＯＳイメージセンサにより構成される。
【００１９】
撮影光源１５は、フラッシュ光（ストロボ光、瞬間光などとも呼ばれる）を出力する。撮影光源１５は、定常光の出力も可能であってよい。撮影光源１５は、たとえばキセノンランプやＬＥＤにより構成される。撮影光源１５から出力された光（撮影照明光）は、観察照明光と同様の経路を通って眼底Ｅｆに照射される。この撮影照明光の眼底反射光は、観察照明光と同様の経路を通ってダイクロイックミラー３２に導かれる。
【００２０】
眼底反射光が赤外光の場合、眼底反射光はダイクロイックミラー３２を透過し、観察照明光と同様の経路を通ってイメージセンサ４３により検出される。他方、眼底反射光が可視光の場合、眼底反射光はダイクロイックミラー３２により反射され、ダイクロイックミラー３３を透過し、ミラー３５により反射され、集光レンズ３６によりイメージセンサ３７により検出される。なお、光学フィルタ部３４については後述する。また、イメージセンサ３７は、たとえば、ＣＣＤイメージセンサやＣＭＯＳイメージセンサにより構成される。
【００２１】
光学フィルタ部２３、３４および４１について説明する。各光学フィルタ部２３、３４、４１には、各種用途の光学フィルタが設けられている。光学フィルタとしては、蛍光撮影用フィルタ、レッドフリー撮影用フィルタなどがある。蛍光撮影用フィルタとしては、自発蛍光撮影（ＦＡＦ）用フィルタ、フルオレセイン蛍光撮影（ＦＡ）用フィルタ、インドシアニングリーン撮影（ＩＣＧ）用フィルタなどがある。なお、光学フィルタはこれらに限定されるものではなく、眼科分野での各種撮影手法に適用される任意の光学フィルタであってよい。光学フィルタ部２３（３４、４１）に複数の光学フィルタが設けられている場合、ユーザまたは眼科装置１により選択された光学フィルタが光路に配置される。
【００２２】
ＬＣＤ３８は、固視標や視力測定用指標などの各種指標を表示する。固視標は被検眼Ｅを固視させるための指標であり、眼底Ｅｆの観察時や撮影時に使用される。ＬＣＤ３８から出力された可視光は、ダイクロイックミラー３３により反射され、ダイクロイックミラー３２により反射され、合焦レンズ３１、ダイクロイックミラー５５、孔開きミラー２１の孔部、および対物レンズ２２を経由して被検眼Ｅに入射し、眼底Ｅｆに投影される。なお、ＬＣＤ３８に代えて、ＬＥＤ等を含んで構成される内部固視標を設けてもよい。
【００２３】
さらに、眼科装置１には、従来の眼底カメラと同様にアライメント光学系５０とフォーカス光学系６０が設けられている。アライメント光学系５０は、被検眼Ｅに対する装置光学系の位置合わせ（アライメント）を行うための指標（アライメント指標）を生成する。フォーカス光学系６０は、眼底Ｅｆに対するフォーカシング（ピント合わせ）を行うための指標（合焦指標）を生成する。この実施形態では、合焦指標としてスプリット指標が用いられる。
【００２４】
アライメント光学系５０のＬＥＤ５１から出力された光（アライメント光）は、絞り５２および５３と、リレーレンズ５４とを経由し、ダイクロイックミラー５５により反射され、孔開きミラー２１の孔部を通過し、対物レンズ２２により被検眼Ｅの前眼部Ｅａ（角膜）に投影される。
【００２５】
アライメント光の角膜反射光は、観察照明光の眼底反射光と同様の光路を経由してイメージセンサ４３の受光面に投影される。イメージセンサ４３による受光像（アライメント指標像）は、観察画像とともに表示される。ユーザは、従来の眼底カメラと同様の操作を行ってアライメントを実施することができる。また、アライメント指標像の位置を解析して光学系を移動させることにより自動的にアライメントを行うようにしてもよい。
【００２６】
フォーカシングを行う際には、照明光学系１０の光路に反射棒６７の反射面が斜設される。フォーカス光学系６０のＬＥＤ６１から出力された光（フォーカス光）は、コリメートレンズ６２を通過し、スプリット指標板６３により二つの光束に分離され、二孔絞り６４を通過し、ミラー６５により反射され、集光レンズ６６により反射棒６７の反射面に一旦結像されて反射される。さらに、フォーカス光は、リレーレンズ２０を経由し、孔開きミラー２１により反射され、対物レンズ２２により眼底Ｅｆに結像される。
【００２７】
フォーカス光の眼底反射光は、アライメント光の角膜反射光と同様の経路を通ってイメージセンサ４３により検出される。イメージセンサ４３による受光像（スプリット指標像）は、観察画像（およびアライメント指標像）とともに表示される。眼科装置１は、従来と同様に、スプリット指標像の位置を解析して合焦レンズ３１等を移動させることによりピント合わせを行う。また、スプリット指標像を視認しつつ手動でピント合わせを行うようにしてもよい。
【００２８】
実施形態に係る眼科装置１は２つのイメージセンサを搭載しているが、この発明に係る眼科装置は少なくとも１つのイメージセンサを有するものであればよい。また、実施形態に係る眼科装置（眼底カメラ）は、散瞳タイプおよび無散瞳タイプのいずれであってもよい。
【００２９】
（制御系）
眼科装置１の制御系について図２を参照しつつ説明する。
【００３０】
眼科装置１の制御系は、制御部１００と、データ処理部２００と、表示部３００と、操作部４００とを含んで構成される。また、図１に示す光学系は光学ユニット７０に格納されている。さらに、眼科装置１は、ユニット駆動部８０と、合焦駆動部９０とを備える。ユニット駆動部８０は、光学ユニット７０を３次元的に移動するよう構成される。なお、光学ユニット７０の移動は、少なくとも平行移動を含んでいてよく、回転移動（回動）を含んでいてよい。合焦駆動部９０は、撮影光学系３０の光軸方向に合焦レンズ３１を移動させる。なお、図示は省略するが、眼科装置１は、他の駆動機構（たとえば光学フィルタ部２３、３４、４１を駆動するための機構）を備えている。
【００３１】
（制御部１００）
制御部１００は、各種の制御処理や演算処理を実行する。制御部１００は、主制御部１１０と、記憶部１２０と、ユニット制御部１３０と、合焦制御部１４０とを含んで構成される。なお、ユニット制御部１３０や合焦制御部１４０は主制御部１１０の内部に設けられていてもよい。また、ユニット制御部１３０や合焦制御部１４０の機能の一部をデータ処理部２００が担うように構成してもよい。
【００３２】
（制御部１１０、記憶部１２０）
主制御部１００は、眼科装置１の各部を制御する。特に、主制御部１００は、観察光源１１、撮影光源１５、光学フィルタ部２３、３４および４１、イメージセンサ３７および４３、アライメント光学系５０のＬＥＤ５１、フォーカス光学系６０のＬＥＤ６１、反射棒６７などの制御を行う。また、主制御部１１０は、表示部３００に情報を表示させる。
【００３３】
記憶部１２０には各種の情報が記憶される。たとえば記憶部１２０には、主制御部１１０やデータ処理部２００に所定の処理を実行させるためのコンピュータプログラムが記憶されている。また、記憶部１２０には、被検眼Ｅの検査において取得された情報（画像データ等）や、患者に関する情報（電子カルテ情報等）などが記憶される。
【００３４】
記憶部１２０には、フォーカシングの制御において参照される対応情報があらかじめ記憶されている。対応情報には、スプリット指標の投影位置（ディオプタのずれ量、フォーカスのずれ量）と合焦レンズ３１の位置との対応関係が含まれている。すなわち、スプリット指標像の描出位置と、ディオプタのずれ量（フォーカスのずれ量）と、合焦レンズ３１の位置との間の対応関係は既知である。
【００３５】
ここで、オートアライメントとオートフォーカスについて説明する。この実施形態において、オートアライメントは従来と同様にして実行される。一方、フォーカシングについては、従来と同様の態様だけでなく、この実施形態に特有の態様も実行可能である。
【００３６】
アライメントが行われるときには、アライメント指標が投影されている状態の前眼部Ｅａの正面画像が取得される。この正面画像は、典型的には赤外動画像である。この正面画像におけるアライメント指標の描出態様の例を図３Ａおよび図３Ｂに示す。なお、図３Ａおよび図３Ｂにおいて、前眼部Ｅａの像は省略されている。図３Ａに示す正面画像Ｇ１には、アライメント指標の２つの像（アライメント指標像）Ａ１およびＡ２が輝点として描出されている。また、制御部１００は、アライメントの目標位置を示す括弧形状のターゲット像Ｔを、正面画像Ｇ１の中心位置に表示させる。
【００３７】
被検眼Ｅに対するｘｙ方向のアライメントがずれている場合、２つのアライメント指標像Ａ１およびＡ２は、ターゲット像Ｔから離れた位置に描出される（図３Ａを参照）。また、ｚ方向のアライメントがずれている場合、２つのアライメント指標像Ａ１およびＡ２は、互いに異なる位置に描出される（図３Ａを参照）。ｘｙｚ方向全てのアライメントが適正である場合、２つのアライメント指標像Ａ１およびＡ２は、互いに重なった状態でターゲット像Ｔの内部に描出される（図３Ｂを参照）。ターゲット像Ｔに対する２つのアライメント指標像Ａ１およびＡ２の変位（変位量、変位方向）は、ｘｙ方向におけるアライメントのずれ（ずれ量、ずれ方向）を示す。２つのアライメント指標像Ａ１およびＡ２の変位（変位量、変位方向）は、ｚ方向におけるアライメントのずれ（ずれ量、ずれ方向）を示す。
【００３８】
制御部１００（またはデータ処理部２００）は、正面画像Ｇ１の画素情報（輝度値等）に基づいて、アライメント指標像Ａ１およびＡ２に相当する画像領域を特定し、特定された各画像領域の特徴位置（中心、重心等）を特定し、ターゲット像Ｔの中心位置に対する各特徴位置の変位と、２つの特徴位置の間の変位とを求める。さらに、制御部１００（またはデータ処理部２００）は、求められた変位に基づいてアライメントのずれを求め、このアライメントのずれを打ち消すような光学系の移動量を取得する。そして、制御部１００は、取得された移動量だけ光学ユニット７０を移動させるようにユニット駆動部８０を制御する。正面画像Ｇ１（赤外動画像）のフレームごとに（または数フレームごとに）、このような一連の処理が繰り返し実行される。オートアライメントは、求められる変位が既定の閾値以下となったことに対応して完了となる。なお、オートアライメントの完了後にトラッキングを開始することができる。トラッキングは、被検眼Ｅの特徴部位がフレーム内の一定位置に描出されるように光学ユニット７０の位置を調整する機能である。
【００３９】
オートフォーカスが行われるときには、スプリット指標が投影されている状態の眼底Ｅｆの正面画像が取得される。この正面画像は、典型的には赤外動画像である。この正面画像におけるスプリット指標の描出態様の例を図４Ａおよび図４Ｂに示す。なお、図４Ａおよび図４Ｂにおいて、眼底Ｅｆの像は省略されている。図４Ａに示す眼底Ｅｆの正面画像Ｇ２には反射棒６７の影Ｕが映り込んでおり、スプリット指標の２つの像（スプリット指標像）Ｂ１およびＢ２が影Ｕの上に輝線として描出される。
【００４０】
フォーカス位置が（ｚ方向に）ずれている場合（つまり、フォーカス位置が被検眼Ｅのディオプタと合っていない場合）、２つのスプリット指標像Ｂ１およびＢ２は、互いに横方向に変位して描出される。その変位方向はフォーカス位置のずれ方向（＋ｚ方向または−ｚ方向。つまり、ディオプタの増加（＋Ｄ）またはディオプタの減少（−Ｄ））を示し、その変位量はフォーカス位置のずれの大きさを示す。フォーカス位置が適正である場合、図４Ｂに示すように、２つのスプリット指標像Ｂ１およびＢ２は縦方向に揃った位置に描出される。
【００４１】
制御部１００（またはデータ処理部２００）は、正面画像Ｇ２の画素情報（輝度値等）に基づいて、スプリット指標像Ｂ１およびＢ２に相当する画像領域を特定し、特定された各画像領域の特徴位置（中心、重心、軸線等）を特定し、特定された２つの特徴位置の間の変位を求める。さらに、制御部１００（またはデータ処理部２００）は、求められた変位に基づいてフォーカス位置のずれを求め、このフォーカス位置のずれを打ち消すような合焦レンズ３１の移動量を取得する。対応情報は、この処理において参照される。すなわち、対応情報には、従来と同様に、一対のスプリット指標像の間の変位（相対位置）と合焦レンズ３１の位置とがあらかじめ対応付けられている。
【００４２】
このように双方のスプリット指標像が得られる場合には、従来のオートフォーカスを実行することができる。しかし、被検眼Ｅが小瞳孔眼である場合や、被検眼Ｅに混濁が存在する場合のように、眼底Ｅｆに到達する光学的な経路に大きな制限がある場合、一方または双方のスプリット指標像を検出できないことがある。一方のスプリット指標像を検出できない場合には、特許文献１に開示されている技術を適用することが可能である。この場合、特許文献１と同様の情報が対応情報に含まれる。いずれのスプリット指標像も検出できない場合、眼科装置１は、光学ユニット７０を移動させることによって１つまたは２つのスプリット指標像を（順次に）検出する。このようにして検出されたスプリット指標像についても、対応情報を参照することによって、ディオプタのずれ量や、合焦レンズ３１の位置（移動先）を求めることが可能である。
【００４３】
なお、この実施形態の眼科装置１は眼底カメラであり、その撮影光学系の合焦レンズのみが設けられているが、２以上の合焦レンズが設けられている場合がある。たとえば、特開２０１４−１１３１７５号公報に記載された装置には、眼底カメラ機能に含まれる合焦レンズと、ＯＣＴ機能に含まれる合焦レンズとが設けられている。このような場合、この実施形態と同様に眼底カメラ機能を用いて前者の合焦レンズの位置を求め、さらに、双方の合焦レンズの位置の間の既定の対応関係（対応情報）を参照して後者の合焦レンズの位置を求めることが可能である。
【００４４】
（ユニット制御部１３０）
ユニット制御部１３０は、ユニット駆動部８０の制御を行う。それにより、被検眼Ｅに対する光学ユニット７０（光学系）の位置が３次元的に移動される。
【００４５】
（合焦制御部１４０）
合焦制御部１４０は、合焦駆動部９０の制御を行う。それにより、撮影光学系３０のフォーカス位置が変更される。また、合焦制御部１４０は、たとえば上記のオートフォーカスに関する処理など、フォーカシングに関する各種の処理を実行する。
【００４６】
（データ処理部２００）
データ処理部２００は各種のデータ処理を実行する。データ処理部２００が実行する処理の具体例については後述する。なお、データ処理部２００は、ユニット制御部１３０の一部として機能してもよいし、合焦制御部１４０の一部として機能してもよい。
【００４７】
（表示部３００、操作部４００）
表示部３００と操作部４００は、眼科装置１のユーザインターフェイスを構成する。表示部３００は、主制御部１１０による制御の下に各種情報を表示する。操作部４００は、操作指示や情報入力に用いられる。操作部４００は、撮影トリガボタンや各種スイッチ等のハードウェアを含んで構成される。主制御部１１０は、操作部４００から入力される信号に基づいて眼科装置１を制御する。表示部３００はタッチパネルディスプレイを含んでいてよい。この場合、表示部３００に表示されたグラフィックユーザインターフェイス（ＧＵＩ）を用いて操作や情報入力を行うように構成できる。
【００４８】
［動作］
実施形態に係る眼科装置の動作について説明する。一般に、眼科装置は、本来の目的である撮影や検査や治療の前に、準備動作を実行する。準備動作には、顎受けや額当ての調整、アライメント、フォーカシング、トラッキング、装置のセッティング、動作モードの選択などが含まれる。以下、実施形態により実行可能なオートフォーカスについて説明する。他の準備動作や、撮影・検査・治療は、従来と同様にして実行される。実施形態に係る準備動作では、アライメントの後にオートフォーカスを実行する。以下、実施形態に係るオートフォーカスのいくつかの典型例を説明する。
【００４９】
（第１の動作例）
第１の動作例では、アライメントによって決定された光学ユニット７０の位置（基準位置）から既定方向に既定距離だけ光学ユニット７０を移動することによりオートフォーカスを実行する。以下、図５を参照する。
【００５０】
（Ｓ１：オートフォーカスを開始する）
オートフォーカスの前段の準備動作の終了を受けて、主制御部１１０は、オートフォーカスを開始する。なお、固視標は既に被検眼Ｅに提示されているものとする。また、たとえばこの段階で、眼底Ｅｆの赤外動画像（観察画像）の取得が開始される。
【００５１】
（Ｓ２：合焦指標のための光束の照射を開始する）
主制御部１１０は、フォーカス光学系６０のＬＥＤ６１を点灯するとともに、照明光学系１０の光路に反射棒６７を挿入する。ここで、被検眼Ｅは小瞳孔眼であり、いずれのスプリット指標像も検出されないとする。すなわち、眼底Ｅｆの観察画像（および反射棒６７の影Ｕ）は得られるが、図４Ａ等に示すスプリット指標像Ｂ１およびＢ２のいずれも観察画像に描出されないとする。なお、この段階で取得される情報を表示部３００に表示させるか否かは任意である。また、この段階において、光学ユニット７０は基準位置に配置されている。
【００５２】
（Ｓ３：基準位置から−ｘ方向に距離ｄだけ離れた位置に光学系を移動する）
次に、ユニット制御部１３０は、ユニット駆動部８０を制御して、光学ユニット７０を−ｘ方向に距離ｄだけ移動する。このときの移動方向は、一対のスプリット指標像の配列方向により事前に設定される。たとえば、この実施形態と異なり一対のスプリット指標像が横方向に配列される場合、光学ユニット７０の移動方向は（±）ｙ方向に設定される。
【００５３】
また、移動距離ｄは、固定値でもよいし、被検眼ごとの固有値でもよいし、被検眼の属性（年齢、性別、傷病、眼球サイズ等）に応じた選択値でもよい。固定値は、たとえば、臨床的にまたは理論的に決定される。固定値の一例として０．５ｍｍを適用できる。被検眼ごとの固有値は、たとえば、過去に適用された値や、当該被検眼の属性から算出された値である。被検眼の属性に応じた選択値は、事前に複数準備される。
【００５４】
（Ｓ４：第１のスプリット指標像を検出する）
続いて、合焦制御部１４０（またはデータ処理部２００）は、眼底Ｅｆの観察画像とともに得られる第１のスプリット指標像を検出する。本例では、ステップＳ３において−ｘ方向に光学ユニット７０を移動したことに対応し、上側のスプリット指標像Ｂ１が検出される。
【００５５】
（Ｓ５：基準位置から＋ｘ方向に距離ｄだけ離れた位置に光学系を移動する）
次に、ユニット制御部１３０は、ユニット駆動部８０を制御して、光学ユニット７０を＋ｘ方向に距離２ｄだけ移動する。それにより、光学ユニット７０は、基準位置から＋ｘ方向に距離ｄだけ離れた位置に配置される。
【００５６】
（Ｓ６：第２のスプリット指標像を検出する）
続いて、合焦制御部１４０（またはデータ処理部２００）は、眼底Ｅｆの観察画像とともに得られる第２のスプリット指標像（下側のスプリット指標像Ｂ２）を検出する。
【００５７】
（Ｓ７：２つのスプリット指標像の位置から合焦レンズの移動先を求める）
合焦制御部１４０は、対応情報を参照することにより、第１および第２のスプリット指標像の位置に基づいて、合焦レンズ３１の移動先（移動量）を求める。
【００５８】
（Ｓ８：ディオプタのずれ量≦閾値？）
合焦制御部１４０は、ステップＳ７で求められた合焦レンズ３１の移動先に対応するディオプタのずれ量（フォーカスのずれ量）が既定の閾値以下であるか判定する。この閾値は、たとえば０．３ディオプタに設定される。ディオプタのずれ量が閾値以下である場合（Ｓ８：ＹＥＳ）、ステップＳ１１に移行する。一方、ディオプタのずれ量が閾値を超える場合（Ｓ８：ＮＯ）、ステップＳ９に移行する。
【００５９】
（Ｓ９：合焦レンズを移動する）
ステップＳ８において「ＮＯ」と判定された場合、合焦制御部１４０は、合焦駆動部９０を制御して、ステップＳ７で求められた移動先に合焦レンズ３１を移動する。
【００６０】
（Ｓ１０：光学系を基準位置に移動する）
ステップＳ９の処理が完了した後、ユニット制御部１３０は、ユニット駆動部８０を制御して、光学ユニット７０を基準位置に移動する。そして、処理はステップＳ３に戻り、一連の処理（ステップＳ３〜ステップＳ８）が再度実行される。すなわち、ステップＳ８において「ＹＥＳ」と判定されるまで、ステップＳ３〜ステップＳ１０の処理が繰り返し実行される。なお、この反復が所定回数に達した場合に所定の制御を行うように構成できる。たとえば、主制御部１１０は、オートフォーカスに失敗した旨を示すメッセージや、マニュアルフォーカスモードへの移行を示すメッセージを表示部３００に表示させることが可能である。
【００６１】
（Ｓ１１：光学系を基準位置に移動する）
ステップＳ８において「ＹＥＳ」と判定された場合、ユニット制御部１３０は、ユニット駆動部８０を制御して、光学ユニット７０を基準位置に移動する。そして、処理は次の準備動作に移行する。なお、この段階において各種の設定を行うことが可能である。たとえば、主制御部１１０は、照明光学系１０および／または撮影光学系３０の絞りの設定を撮影時に小瞳孔用の設定に変更するためのフラグを立てる。
【００６２】
（第２の動作例）
第２の動作例では、光学ユニット７０を移動しつつスプリット指標像を検出する。以下、図６を参照する。
【００６３】
（Ｓ２１：オートフォーカスを開始する）
第１の動作例のステップＳ１と同様である。
【００６４】
（Ｓ２２：合焦指標のための光束の照射を開始する）
第１の動作例のステップＳ２と同様である。
【００６５】
（Ｓ２３：−ｘ方向への光学系の移動を開始する）
次に、ユニット制御部１３０は、ユニット駆動部８０を制御して、光学ユニット７０の−ｘ方向への移動を開始する。このときの移動方向は、第１の動作例のステップＳ３と同様にして設定されてよい。また、−ｘ方向への最大移動距離が設定されていてもよい。この最大移動距離は、固定値でもよいし、被検眼ごとの固有値でもよいし、被検眼の属性に応じた選択値でもよい。
【００６６】
（Ｓ２４：第１のスプリット指標像を検出する）
光学ユニット７０の移動と並行し、合焦制御部１４０（またはデータ処理部２００）は、眼底Ｅｆの観察画像を解析することにより第１のスプリット指標像（上側のスプリット指標像Ｂ１）を検出する。
【００６７】
（Ｓ２５：＋ｘ方向への光学系の移動を開始する）
第１のスプリット指標像が検出されたことに対応し、ユニット制御部１３０は、ユニット駆動部８０を制御して、光学ユニット７０の＋ｘ方向への移動を開始する。
【００６８】
（Ｓ２６：第２のスプリット指標像を検出する）
光学ユニット７０の移動と並行し、合焦制御部１４０（またはデータ処理部２００）は、眼底Ｅｆの観察画像を解析する。光学ユニット７０が基準位置に到達した後、合焦制御部１４０（またはデータ処理部２００）は、第２のスプリット指標像（下側のスプリット指標像Ｂ２）を検出する。
【００６９】
（Ｓ２７：２つのスプリット指標像の位置から合焦レンズの移動先を求める）
第１の動作例のステップＳ７と同様である。
【００７０】
（Ｓ２８：ディオプタのずれ量≦閾値？）
第１の動作例のステップＳ８と同様である。
【００７１】
（Ｓ２９：合焦レンズを移動する）
第１の動作例のステップＳ９と同様である。
【００７２】
（Ｓ３０：光学系を基準位置に移動する）
第１の動作例のステップＳ１０と同様である。
【００７３】
（Ｓ３１：光学系を基準位置に移動する）
第１の動作例のステップＳ１１と同様である。
【００７４】
（第３の動作例）
第３の動作例では、眼底Ｅｆの観察画像に描出されるスプリット指標像の個数に応じてフォーカシングモードを切り替える態様について説明する。第３の動作例においては、第１の動作例のいくつかのステップが適用される。なお、第１の動作例のいくつかのステップ（ステップＳ３〜ステップＳ１０）の代わりに、対応する第２の動作例のいくつかのステップ（ステップＳ２３〜ステップＳ３０）を適用することが可能である。また、他の実施形態または変形例における対応するいくつかのステップを適用することも可能である。
【００７５】
（Ｓ４１：オートフォーカスを開始する）
第１の動作例のステップＳ１と同様である。
【００７６】
（Ｓ４２：合焦指標のための光束の照射を開始する）
第１の動作例のステップＳ２と同様である。
【００７７】
（Ｓ４３：スプリット指標像を検出する）
合焦制御部１４０（またはデータ処理部２００）は、眼底Ｅｆの観察画像とともに得られるスプリット指標像を検出する。
【００７８】
（Ｓ４４：２つ検出？）
ステップＳ４３においてスプリット指標像が２つ検出された場合（Ｓ４４：ＹＥＳ）、合焦制御部１４０は、対応情報を参照することにより、２つのスプリット指標像の位置に基づいて合焦レンズ３１の移動先（移動量）を求める（Ｓ７）。そして、処理はステップＳ８に移行する。
【００７９】
（Ｓ４５：１つ検出？）
ステップＳ４３においてスプリット指標像が１つ検出された場合（Ｓ４５：ＹＥＳ）、ステップＳ４６に移行する。
【００８０】
（Ｓ４６：合焦レンズの移動先を求める）
スプリット指標像が１つ検出された場合（Ｓ４５：ＹＥＳ）、合焦制御部１４０は、このスプリット指標像の位置から合焦レンズ３１の移動先を求める。この処理は、たとえば次のようにして実行される。まず、合焦制御部１４０は、検出された一方のスプリット指標像の位置を記憶する。次に、合焦制御部１４０は、ユニット制御部１３０に指示を送る。ユニット制御部１３０は、この指示を受けてユニット駆動部８０を制御することにより、光学ユニット７０を移動させる。このときの移動量や移動方向は、デフォルトとして設定されてもよいし、検出された一方のスプリット指標像の位置から導かれてもよい。或いは、眼底像をリアルタイムで解析してスプリット指標像の描出状態を監視しつつ光学ユニット７０を移動させるようにしてもよい。合焦制御部１４０は、このようにして眼底像に描出された他方のスプリット指標像の位置を取得する。そして、合焦制御部１４０は、双方のスプリット指標像の位置（および、他方のスプリット指標像の位置が取得されたときの光学ユニット７０の移動量・移動方向）に基づいて、合焦レンズの移動先（ディオプタの値）を求める。ここで、レンズに起因するフォーカス位置のずれを２次式を用いて補正することにより上記の移動先を補正する公知の処理を実行することができる。
【００８１】
（Ｓ４７：合焦レンズを移動する）
合焦制御部１４０は、合焦駆動部９０を制御して、ステップＳ４６において求められた移動先に合焦レンズ３１を移動する。合焦レンズ３１が移動された後、第１の動作例のステップＳ３〜ステップＳ８が実行される。
【００８２】
（Ｓ４８：ｎ≦５？）
ステップＳ４５においてスプリット指標像が１つも検出されなかった場合（Ｓ４５：ＮＯ）、ステップＳ４８に移行する。ステップＳ４８において、合焦制御部１４０は、スプリット指標像が１つも検出されなかった回数ｎをカウントする。この回数ｎが既定回数（たとえば５回）以下である場合（Ｓ４８：ＹＥＳ）、ステップＳ４３に戻る。
【００８３】
一方、回数ｎが既定回数を超える場合（Ｓ４８：ＮＯ）、第１の動作例のステップＳ３〜ステップＳ８が実行される。
【００８４】
（Ｓ８：ディオプタのずれ量≦閾値？）
合焦制御部１４０は、ステップＳ７で求められた合焦レンズ３１の移動先に対応するディオプタのずれ量（フォーカスのずれ量）が既定の閾値以下であるか判定する。ディオプタのずれ量が閾値以下である場合（Ｓ８：ＹＥＳ）、光学系を基準位置に移動する（Ｓ１１）。そして、処理は次の準備動作に移行する。
【００８５】
（Ｓ４９：スプリット指標像を検出する）
一方、ステップＳ８においてディオプタのずれ量が閾値を超える場合（Ｓ８：ＮＯ）、第１の動作例のステップＳ９およびステップＳ１０が実行される。続いて、合焦制御部１４０（またはデータ処理部２００）は、眼底Ｅｆの観察画像とともに得られるスプリット指標像を検出する。
【００８６】
（Ｓ５０：２つ検出？）
ステップＳ４９においてスプリット指標像が２つ検出された場合（Ｓ５０：ＹＥＳ）、第１の動作例のステップＳ７が実行され、ステップＳ８に移行する。
【００８７】
一方、ステップＳ４９においてスプリット指標像が２つ検出されなかった場合（Ｓ５０：ＮＯ）、第１の動作例のステップＳ３〜ステップＳ８が再度実行される。この反復処理は、ステップＳ８において「ＹＥＳ」と判定されるまで、或いは既定回数だけ繰り返される。
【００８８】
（第４の動作例）
第１〜第３の動作例では、光学系の移動によりスプリット指標像を検出して合焦レンズを移動した後に、光学系を既定の位置（基準位置）に移動している（なお、光学系の移動量が小さい場合などにおいてはこの処理を行わなくてよい場合がある）。これは、撮影画像にフレアが混入することを防止するためである。しかし、被検眼Ｅは小瞳孔眼であることを考慮すると、眼底Ｅｆを照明するための光束（リング照明光）が好適に眼底Ｅｆに照射されない可能性がある。第４の動作例では、このようなケースを回避するための処理を説明する。なお、この目的を達成するための他の例が第２の実施形態で説明される。
【００８９】
第４の動作例では、スプリット指標の投影状態を監視することにより、光学系を既定の位置に移動する。記憶部２１２には、光学系を既定の位置に移動するための条件があらかじめ記憶されている。この条件は、たとえば、１つまたは２つのスプリット指標像が検出されること、スプリット指標像が既定の領域内に描出されること、或いは、検出されるスプリット指標像の領域（面積）が最大であること、などである。
【００９０】
合焦制御部１４０（またはデータ処理部２００）は、眼底Ｅｆの観察画像を解析することによりスプリット指標像の検出を行う。この処理は、光学系を静止させた状態で実行されるか、或いは、光学系を移動させつつ実行される。なお、時間の経過とともに被検眼Ｅの瞳孔が次第に拡大することがある。
【００９１】
光学系を静止させた状態でスプリット指標像の検出を行う場合、合焦制御部１４０は、瞳孔の拡大に伴って、検出されるスプリット指標像が既定の条件を満足したことに対応し、光学系を既定の位置に移動する。
【００９２】
一方、光学系を移動させつつスプリット指標像の検出を行う場合、合焦制御部１４０は、瞳孔の拡大および／または光学系の移動に伴って、検出されるスプリット指標像が既定の条件を満足したことに対応し、光学系を既定の位置に移動する。この場合における既定の位置は、前段のアライメントにより決定された基準位置でもよいし、スプリット指標像が既定の条件を満足したときの光学系の位置でもよい。
【００９３】
［作用・効果］
実施形態に係る眼科装置の作用および効果について説明する。
【００９４】
実施形態に係る眼科装置は、合焦指標投影部（フォーカス光学系６０）と、眼底撮影部（照明光学系１０および撮影光学系３０）と、駆動部（ユニット駆動部８０）と、合焦制御部（１４０（およびデータ処理部２００））とを備える。合焦指標投影部は、眼底に一対の合焦指標を投影するための光束を被検眼に照射する。眼底撮影部は、眼底を撮影する。駆動部は、合焦指標投影部と眼底撮影部と合焦レンズ（３１）とを含む光学系を移動する。合焦制御部は、駆動部が光学系を移動することによって眼底撮影部により取得された合焦指標の投影像（スプリット指標像）に基づいて合焦レンズを移動する。
【００９５】
このような眼科装置によれば、合焦指標の投影像が検出されない場合であっても、光学系を移動して投影像を検出し、検出された投影像に基づいてオートフォーカスを実行することが可能である。したがって、小瞳孔眼に対するオートフォーカスの改善を図ることが可能である。
【００９６】
実施形態において、被検眼にアライメント指標を投影するためのアライメント指標投影部（アライメント光学系５０）が設けられていてよい。この場合、駆動部は、アライメント指標を用いて決定された光学系の基準位置から既定の方向に既定の距離だけ光学系を移動することができる。さらに、合焦制御部は、駆動部により光学系が移動された後に眼底撮影部によって取得された合焦指標の投影像に基づいて合焦レンズを移動することができる。
【００９７】
この構成によれば、アライメントにより決定された好適な位置を基準として光学系を移動することができるので、合焦指標の投影像を好適に（円滑に、迅速に、容易に）検出することが可能である。
【００９８】
実施形態において、駆動部は、基準位置から第１方向に第１距離だけ離れた第１位置に光学系を移動した後、基準位置から第２方向に第２距離だけ離れた第２位置に光学系を移動することができる。さらに、合焦制御部は、光学系が第１位置に配置されているときに眼底撮影部により取得された合焦指標の投影像（第１の投影像）と、光学系が第２位置に配置されているときに眼底撮影部により取得された合焦指標の投影像（第２の投影像）とに基づいて、合焦レンズを移動することができる。
【００９９】
特に、第２方向は基準位置に対して第１方向の反対方向であり、かつ、第２距離は第１距離と等しくてよい。すなわち、基準位置に対して対称な２つの位置に光学系が配置されているときに合焦指標の投影像をそれぞれ検出するように構成されていてよい。
【０１００】
このような構成によれば、光学系が異なる位置に配置されているときに取得された２つの投影像に基づいてオートフォーカスを実行することが可能である。すなわち、オートフォーカスのために検出されるべき２つの投影像を順次に取得し、それらに基づいてオートフォーカスを実行することが可能である。したがって、オートフォーカスの精度や確度を向上させることができる。
【０１０１】
実施形態において、眼底撮影部は、駆動部による光学系の移動と並行して、合焦指標投影部からの光束が照射されている状態の被検眼の眼底の動画撮影を行うことができる。さらに、合焦制御部は、眼底撮影部により取得される動画像に描出された合焦指標の投影像に基づいて合焦レンズを移動することが可能である。
【０１０２】
この構成によれば、光学系が既定の位置に配置された状態で合焦指標の投影像を検出する上記の構成と異なり、光学系の移動に応じて検出された投影像を利用してオートフォーカスを実行することが可能である。換言すると、この構成によれば、光学系を移動しつつ合焦指標の投影像を探索することが可能である。したがって、投影像を検出できる可能性、つまりオートフォーカスの成功可能性の向上を図ることができる。
【０１０３】
実施形態において、合焦制御部は、動画像に描出された合焦指標の第１投影像と第２投影像とに基づいて合焦レンズを移動することが可能である。ここで、光学系が初期位置から第１方向に位置しているときに第１投影像を取得し、かつ、光学系が初期位置から第２方向に位置しているときに第２投影像を取得することができる。この初期位置は、アライメント指標を用いて決定された光学系の基準位置であってよい。また、第２方向は、初期位置に対して第１方向の反対方向であってよい。
【０１０４】
このような構成によれば、オートフォーカスのために検出されるべき２つの投影像を順次に取得し、それらに基づいてオートフォーカスを実行することが可能である。したがって、オートフォーカスの精度や確度を向上させることができる。
【０１０５】
実施形態において、合焦制御部は、眼底撮影部により取得された眼底像に一対の合焦指標のいずれの投影像も描出されない場合に、合焦指標の投影像を取得するための光学系の移動を開始させるように構成されていてよい。
【０１０６】
また、実施形態において、眼底撮影部により取得された眼底像に一対の合焦指標の一方の投影像が描出されている場合、合焦制御部は、当該一方の投影像に基づいて合焦レンズを移動させた後に、合焦指標の投影像を取得するための光学系の移動を開始させるように構成されていてよい。
【０１０７】
また、実施形態において、眼底撮影部により取得された眼底像に一対の合焦指標の双方の投影像が描出されている場合、合焦制御部は、当該双方の投影像の位置関係に基づいて合焦レンズを移動するように構成されていてよい。
【０１０８】
このような構成によれば、合焦指標の投影像の検出結果（検出された投影像の個数）に応じてオートフォーカスの態様を適宜に切り替えることが可能である。
【０１０９】
実施形態において、合焦制御部により合焦レンズが移動された後、駆動部は、光学系を既定の位置に移動することができる。この既定の位置は、アライメントによって決定された基準位置であってよい。
【０１１０】
この構成によれば、オートフォーカスのための光学系の移動が完了した後に、光学系を既定の位置に自動で移動することができる。それにより、撮影や測定や治療を行う前の準備動作を円滑にかつ容易に実行することができる。また、撮影画像にフレアが混入することや、測定用または治療用の光束が虹彩にケラれることを防止することが可能である。
【０１１１】
実施形態において、眼底撮影部により取得される合焦指標の投影像が既定の条件を満足した後に、駆動部は、既定の位置への光学系の移動を実行することができる。
【０１１２】
この構成によれば、投影像が好適に検出されるようになったことに対応して光学系を既定の位置に移動することが可能である。それにより、撮影用、測定用または治療用の光束を眼底に好適に導くことが可能となる。
【０１１３】
〈第２の実施形態〉
第２の実施形態に係る眼科装置は、眼底の撮影と並行して前眼部の撮影が可能であり、取得された前眼部像に基づいて各種の処理を実行するように構成される。
【０１１４】
第２の実施形態に係る眼科装置の構成の一例を図８に示す。なお、特に言及しない限り、光学的な構成は第１の実施形態と同様であってよい。
【０１１５】
眼科装置は、前眼撮影部５００を備える。前眼撮影部５００は、被検眼Ｅの前眼部Ｅａを撮影する。特に、前眼撮影部５００は、前眼部Ｅａの動画撮影が可能である。前眼撮影部５００は、たとえば、光学ユニット７０の筐体の前面（被検眼Ｅ側の面）に設けられた、少なくとも１つのカメラ（ビデオカメラ）を含む。２つ以上のカメラが設けられている場合、前眼部Ｅａのステレオ撮影が可能である。すなわち、２以上のカメラで実質的に同時に取得された２以上の画像に基づいて、被検眼Ｅに対する光学系の３次元的な位置を求めることができ、さらに、アライメントを実行することが可能である。このような構成は、たとえば、本出願人による特開２０１３−２４８３７６号公報に開示されている。
【０１１６】
データ処理部２００にはタイミング信号出力部２１０が設けられている。タイミング信号出力部２１０は、眼底Ｅｆにおける合焦指標の投影像を取得するためのタイミング信号を出力する。より具体的には、タイミング信号出力部２１０は、まず、前眼撮影部５００を用いて前眼部Ｅａを動画撮影することにより取得された動画像（前眼部投影像）を解析することにより、フォーカス光学系６０からの光束の投影像の描出状態を判定する。フォーカス光学系６０からの光束の全てが瞳孔を通過して眼底Ｅｆに投影される場合、前眼部投影像に投影像は描出されない。これに対し、フォーカス光学系６０からの光束の少なくとも一部が瞳孔を通過しない場合、前眼部投影像に投影像が描出される。なお、オートフォーカスの前にアライメントを行うのが一般的であるので、光束の少なくとも一部が瞳孔を通過しないにもかかわらず投影像が検出されないケースは除外されてよい。
【０１１７】
タイミング信号出力部２１０が実行する判定処理は、たとえば、投影像が描出されているか否か判定する処理、一方または双方の投影像が描出されているか否か判定する処理、投影像の描出領域の大きさを判定する処理、投影像の描出領域を既定の閾値と比較する処理などを含む。
【０１１８】
さらに、タイミング信号出力部２１０は、前眼部動画像における投影像の描出状態の判定結果に基づいて、眼底Ｅｆにおける合焦指標の投影像を取得するためのタイミング信号を出力する。たとえば、タイミング信号出力部２１０は、投影像が描出されない場合や、一方の投影像のみが描出されている場合や、投影像の描出領域が既定の閾値よりも小さい場合などに、タイミング信号を出力する。すなわち、タイミング信号出力部２１０は、フォーカス光学系６０からの光束が虹彩によって不適当に遮られることなく、眼底Ｅｆに合焦指標が好適に投影されていることを検出して、タイミング信号を出力する。
【０１１９】
タイミング信号出力部２１０から出力されたタイミング信号は、制御部１００に入力される。合焦制御部１４０（またはデータ処理部２００）は、タイミング信号の入力を受けて、照明光学系１０および撮影光学系３０により取得された眼底Ｅｆの画像に描出されている合焦指標の投影像を検出する。さらに、合焦制御部１４０は、検出された投影像に基づき合焦駆動部９０を制御することにより合焦レンズ３１を移動させる。ここで合焦制御部１４０（およびデータ処理部２００）が実行する処理は、その処理タイミングを除き、第１の実施形態と同様である。
【０１２０】
このような第２の実施形態によれば、眼底Ｅｆに合焦指標が好適に投影されているタイミングで合焦指標の投影像を検出し、それに基づくオートフォーカスを実行することが可能である。したがって、オートフォーカスの成功率の向上を図ることが可能である。
【０１２１】
第２の実施形態の動作例を説明する。眼科装置は、被検眼Ｅの瞳孔のサイズを監視する機能（監視部）を有する。瞳孔サイズは、たとえば、瞳孔の最大径、瞳孔の平均径、既定方向における瞳孔の径、瞳孔の周囲長、瞳孔に相当する画像領域の面積などであってよい。
【０１２２】
瞳孔サイズ監視機能は、たとえば、前眼撮影部５００とデータ処理部２００により実現される。前眼撮影部５００は、被検眼Ｅの前眼部動画像を取得する。データ処理部２００は、前眼部動画像を解析して瞳孔領域を特定し、そのサイズを表す値を算出する。さらに、データ処理部２００は、算出された値を既定の閾値と比較し、算出された値が既定の閾値以上になったときに、制御部１００に信号を送る。
【０１２３】
ユニット制御部１３０は、データ処理部２００からの信号の入力を受けて、光学ユニット７０を既定の位置に移動するようにユニット駆動部８０を制御する。この既定の位置は、前段のアライメントにより決定された基準位置であってよい。なお、この動作例に係る処理は、第１の実施形態のステップＳ９やステップＳ２９において実行される。
【０１２４】
このような構成によれば、オートフォーカスのための光学系の移動が完了した後に、光学系を既定の位置に自動で移動することができる。それにより、撮影や測定や治療を行う前の準備動作を円滑にかつ容易に実行することができる。また、撮影画像にフレアが混入することや、測定用または治療用の光束が虹彩にケラれることを防止することが可能である。さらに、被検眼Ｅの瞳孔が拡大したことに対応して、すなわち、眼底Ｅｆに投影像が好適に検出されるようになったことに対応して、光学系を既定の位置に移動することが可能である。それにより、撮影用、測定用または治療用の光束を眼底Ｅｆに好適に導くことが可能となる。
【０１２５】
第２の実施形態の他の動作例を説明する。眼科装置は、被検眼の瞳孔のサイズを測定する機能（測定部）を有する。瞳孔サイズは、たとえば、瞳孔の最大径、瞳孔の平均径、既定方向における瞳孔の径、瞳孔の周囲長、瞳孔に相当する画像領域の面積などであってよい。
【０１２６】
瞳孔サイズ測定機能は、たとえば、上記の瞳孔サイズ監視機能と同様に、前眼撮影部５００とデータ処理部２００により実現される。データ処理部２００は、取得された瞳孔サイズの値が既定の閾値以下であるか判定し、瞳孔サイズの値が閾値以下であると判定されたことに対応して制御部１００に信号を送る。
【０１２７】
合焦制御部１４０は、データ処理部２００からの信号の入力を受けて、眼底Ｅｆにおける合焦指標の投影像を取得するための光学ユニット７０の移動（ステップＳ３、ステップＳ２３）を開始させる。
【０１２８】
このような構成によれば、被検眼Ｅの瞳孔が拡大したことに対応して、すなわち、眼底Ｅｆに合焦指標が好適に投影されるようになったことに対応して、合焦指標の投影像を取得するための光学ユニット７０の移動を開始することができる。それにより、合焦指標の検出の成功率の向上、ひいては、オートフォーカスの成功率の向上を図ることが可能である。
【０１２９】
この発明に係る眼科装置は、以上に説明したものには限定されない。この発明を実施しようとする者は、この発明の要旨の範囲内において任意の変形（省略、変更、置換等）を施すことが可能である。
【符号の説明】
【０１３０】
１  眼科装置
１０  照明光学系
３０  撮影光学系
５０  アライメント光学系
６０  フォーカス光学系
７０  光学ユニット
８０  ユニット駆動部
９０  合焦駆動部
１００  制御部
１１０  主制御部
１２０  記憶部
１３０  ユニット制御部
１４０  合焦制御部
２００  データ処理部
２１０  タイミング信号出力部
３００  表示部
４００  操作部
５００  前眼撮影部
【図１】
0006518054.tif 000002
【図２】
0006518054.tif 000003
【図３Ａ】
0006518054.tif 000004
【図３Ｂ】
0006518054.tif 000005
【図４Ａ】
0006518054.tif 000006
【図４Ｂ】
0006518054.tif 000007
【図５】
0006518054.tif 000008
【図６】
0006518054.tif 000009
【図７】
0006518054.tif 000010
【図８】
0006518054.tif 000011